(57)【要約】【課題】開き始めから開き終わりまでの蓋体の動きを従来に比べてスムーズにできる車両用物品保持装置の提供。【解決手段】（１）収納部２１を備える保持装置本体２０と、保持装置本体２０に対して開閉動可能な蓋体３０と、蓋体３０を保持装置本体２０に対して開方向に付勢する付勢部材４０と、収納部２１に対して蓋体３０が開状態にあるときに位置する側と反対側に配置され、保持装置本体２０に対して突出位置５０ａと収納位置５０ｂとに可動なサポート５０と、蓋体３０が閉状態から開状態に移動するときにサポート５０を収納位置５０ｂから突出位置５０ａに移動させるリンク機構６０と、を有する車両用物品保持装置１０。【選択図】        図３
2008037292.tif 000002
【特許請求の範囲】
【請求項１】
収納部を備える保持装置本体と、
前記保持装置本体に対して開閉動可能な蓋体と、
前記蓋体を前記保持装置本体に対して開方向に付勢する付勢部材と、
前記収納部に対して前記蓋体が開状態にあるときに位置する側と反対側に配置され、前記保持装置本体に対して突出位置と該突出位置よりも突出量が小の収納位置とに可動なサポートと、
前記蓋体が閉状態から開状態に移動するときに前記サポートを前記収納位置から前記突出位置に移動させるリンク機構と、
を有する車両用物品保持装置。
【請求項２】
前記蓋体に設けられ前記収納部に収納される物品の側面を保持するアーム構造体を、さらに有し、
前記リンク機構は、前記保持装置本体と前記アーム構造体に回動可能に連結される第１のリンクと、該第１のリンクと前記サポートに回動可能に連結される第２のリンクと、を備えている、請求項１記載の車両用物品保持装置。
【発明の詳細な説明】
【技術分野】
【０００１】
本発明は、車両用カップホルダ等の車両用物品保持装置に関する。
【背景技術】
【０００２】
特開２００２−２３５５号公報は、収納部を備える保持装置本体と、蓋体と、蓋体を保持装置本体に対して開方向に回動付勢する付勢バネと、収納部に対して蓋体が開状態にあるときに位置する側と反対側に配置され保持装置本体に上下方向にスライド可能に支持されるサポートと、サポートを保持装置本体に対して上方に付勢するサポート付勢バネと、を有する車両用物品保持装置を開示している。
【０００３】
しかし、従来の車両用物品保持装置にはつぎの問題点がある。
蓋体が開くとき、蓋体は付勢バネとサポート付勢バネの両方のバネの付勢力により勢いよく開き始め、蓋体がサポートから離れると、蓋体は付勢バネの付勢力のみで開く。そのため、開き始めと開き途中から開き終わりまでの蓋体の開動速度が異なり、スムーズに蓋体を開くことが困難である。
【特許文献１】特開２００２−２３５５号公報
【発明の開示】
【発明が解決しようとする課題】
【０００４】
本発明の目的は、開き始めから開き終わりまでの蓋体の動きを従来に比べてスムーズにできる車両用物品保持装置を提供することにある。
【課題を解決するための手段】
【０００５】
上記目的を達成する本発明はつぎの通りである。
（１）  収納部を備える保持装置本体と、
前記保持装置本体に対して開閉動可能な蓋体と、
前記蓋体を前記保持装置本体に対して開方向に付勢する付勢部材と、
前記収納部に対して前記蓋体が開状態にあるときに位置する側と反対側に配置され、前記保持装置本体に対して突出位置と該突出位置よりも突出量が小の収納位置とに可動なサポートと、
前記蓋体が閉状態から開状態に移動するときに前記サポートを前記収納位置から前記突出位置に移動させるリンク機構と、
を有する車両用物品保持装置。
（２）  前記蓋体に設けられ前記収納部に収納される物品の側面を保持するアーム構造体を、さらに有し、
前記リンク機構は、前記保持装置本体と前記アーム構造体に回動可能に連結される第１のリンクと、該第１のリンクと前記サポートに回動可能に連結される第２のリンクと、を備えている、（１）記載の車両用物品保持装置。
【発明の効果】
【０００６】
上記（１）または（２）の車両用物品保持装置によれば、蓋体が閉状態から開状態に移動するときにサポートを収納位置から突出位置に移動させるリンク機構を有するので、蓋体を開方向に付勢する付勢部材の付勢力でサポートを収納位置から突出位置に移動させることができる。そのため、従来と異なりサポートを付勢するサポート付勢バネは不要である。したがって、蓋体には開動の全領域で付勢部材の付勢力のみがかかり、開き始めから開き終わりまでの蓋体の動きが従来に比べてスムーズになる。
【発明を実施するための最良の形態】
【０００７】
図１〜図３は、本発明実施例の車両用物品保持装置を示している。
本発明実施例の車両用物品保持装置１０は、たとえば車両用カップホルダである。ただし、車両用物品保持装置１０は、車両用カップホルダに限定されるものではなく、車両用小物入れ装置、車両用携帯電話ホルダ、車両用傘ホルダ等であってもよい。本発明図示例では、車両用物品保持装置１０が車両用カップホルダである場合を示している。
車両用物品保持装置１０は、図１に示すように、保持装置本体２０と、蓋体３０と、付勢部材４０と、サポート５０と、リンク機構６０と、アーム構造体７０と、ロック機構８０と、伝達部材９０と、を有する。
【０００８】
保持装置本体２０は、たとえば樹脂製である。保持装置本体２０は、車両の内装部材であるインスツルメントパネル、コンソールパネル等に固定されている。保持装置本体２０は、車両の内装部材に一体に形成されていてもよく、別体に形成されて固定して取付けられていてもよい。
保持装置本体２０は、収納部２１と、サポート支持部２２と、を備える。
収納部２１には、物品（収納物、カップ類）を収納可能である。収納部２１は、少なくとも１個（図示例では２個）設けられている。収納部２１が２個設けられている場合、２個の収納部２１は、たとえば左右方向（車両左右方向）に並んで配置されている。
サポート支持部２２は、サポート５０を上下方向に移動可能に支持する。
【０００９】
蓋体３０は、保持装置本体２０に開閉動可能に支持されている。蓋体３０は、保持装置本体２０に回動可能に取付けられている。蓋体３０は、収納部２１を開閉する蓋である。
蓋体３０は、蓋体インナー３１と蓋体アウター３２を備える。蓋体インナー３１と蓋体アウター３２は図示略の爪と爪受け等により一体化される。
蓋体インナー３１の側面には、取付け部３１ａが設けられている。蓋体３０は、付勢部材４０を装着した段付きビス３１ｂを保持装置本体２０の穴２３に挿入することで、保持装置本体２０に回動可能に取付けられる。
蓋体インナー３１には、蓋体３０の開動速度を低減させるダンパ３１ｃ（たとえばオイルダンパ）と係合する一対のギヤ３１ｄが一体的に設けられている。ギヤ３１ｄは、保持装置本体２０に設けられる溝２４を通って保持装置本体２０内に進入可能とされている。
【００１０】
付勢部材４０は、たとえばトーションスプリングからなる。付勢部材４０は、蓋体３０を保持装置本体２０に対して開方向に回動付勢する。
【００１１】
サポート５０は、たとえば樹脂製である。サポート５０は、保持装置本体２０に配置される。サポート５０は、保持装置本体２０の、収納部２１に対して蓋体３０が開状態にあるときに位置する側と反対側の部位に、配置される。サポート５０は、収納部２１に収納される物品の側面を保持する保持部５１と、保持部５１から下方に延びサポート支持部２２に上下方向にスライド可能に支持されるスライド部５２と、を備える。
サポート５０は、スライド部５２がサポート支持部２２に上下方向にスライド可能に支持されるため、保持装置本体２０に対して、図３に示すように、上方に突出した突出位置５０ａと突出位置５０ａから下方に移動し突出位置５０ａよりも突出量が小の収納位置５０ｂとに可動である。
【００１２】
リンク機構６０は、蓋体３０が閉状態から開状態に移動するときにサポート５０を収納位置５０ｂから突出位置５０ａに移動させる機構である。リンク機構６０は、蓋体３０の開放とサポート５０の突出動とを連動させる。リンク機構６０は、第１のリンク６１と、第２のリンク６２と、を備える。
第１のリンク６１は、保持装置本体２０と、アーム構造体７０のロア部材７２とに、回動可能に連結される。第１のリンク６１は、アーム構造体７０の先端部（蓋体３０側と反対側の端部、自由端部）またはその近傍で、アーム構造体７０に回動可能に連結される。
第２のリンク６２は、第１のリンク６１と、サポート５０のスライド部５２とに、回動可能に連結される。第２のリンク６２は、第１のリンク６１の長手方向中間部で、第１のリンク６１に回動可能に連結される。第２のリンク６２は、スライド部５２の下側端部またはその近傍で、スライド部５２に回動可能に連結される。
【００１３】
アーム構造体７０は、図１に示すように、アッパ部材７１と、ロア部材７２と、アーム７３と、アーム付勢スプリング７４と、を備える。
アッパ部材７１とロア部材７２は、爪と爪受け等により互いに固定される。
アーム構造体７０は、ロア部材７２に設けられる回動軸部７２ａを蓋体インナー３１に設けられる軸受部３１ｅに挿入することにより、蓋体３０に対して回動可能とされている。
アーム７３は、収納部２１に収納される物品の側面を、サポート５０とは異なる部位で保持する。アーム７３は、アッパ部材７１に設けられる突起７１ａがアーム７３に設けられる突起挿通用孔７３ａを挿通してロア部材７２に設けられる穴７２ｂに入り込むことにより、アッパ部材７１とロア部材７２に対して回動可能とされている。
アーム付勢スプリング７４は、たとえばトーションスプリングからなる。アーム付勢スプリング７４は、アーム７３を、アッパ部材７１およびロア部材７２に対して、閉じる方向に回動付勢する。
【００１４】
ロック機構８０は、付勢部材４０により開方向に回動付勢される蓋体３０を閉状態に維持する機構である。ロック機構８０は、蓋体３０の左右両側に一対設けられている。ロック機構８０は、蓋体３０に設けられる係合部８１ａに係脱可能なロック８１と、ロック８１を回動可能に支持するロックホルダ８２と、ロック８１を操作する操作片８３ａが設けられたノブ８３と、ロック８１を係合部８１ａに係合する方向にロックホルダ８２に対して回動付勢するロックスプリング８４と、を備える。
【００１５】
ロック８１は、ロックホルダ８２の取付け部８２ａに回動可能に取付けられる。
ロックホルダ８２は、ビス８２ｂを用いて、保持装置本体２０に固定して取付けられる。
ノブ８３は、シャフト８３ｂをロックホルダ８２の孔８２ｃとノブ８３の孔８３ｃに挿通させることで、ロックホルダ８２に可動に取付けられる。
ロックスプリング８４は、ロック８１の背面とロックホルダ８２との間に配置される。
【００１６】
伝達部材９０は、左右の一対のロック８１に連結される。伝達部材９０は、左右一対のロック８１の、一方のロックの動きを他方のロックに伝達する。伝達部材９０により、左右一対のロック８１の動作は同期する。
伝達部材９０は、屈曲可能な２本のケーブルで構成されていてもよく、屈曲不能な樹脂製部材で構成されていてもよい。
【００１７】
ここで、本発明実施例の作用を説明する。
（ａ）蓋体３０が閉状態にあるとき（図３の実線の状態）
蓋体３０は、ロック機構８０により閉状態に維持されている。蓋体３０とアーム構造体７０と第１のリンク６１は、上下方向に重なり合った状態にある。サポート５０は、収納位置５０ｂにある。
（ｂ）ロック機構８０のロックを解除して蓋体３０を開動させるとき
蓋体３０は、付勢部材４０の付勢力により開動する。アーム構造体７０は、蓋体３０に引っ張られて上方に移動する。第１のリンク６１が保持装置本体２０とアーム構造体７０とに連結されているため、アーム構造体７０が上方に移動するにつれて、アーム構造体７０は、蓋体３０に対して下方に倒れ込む。第１のリンク６１は、アーム構造体７０に引っ張られて、アーム構造体７０が上方に移動するにつれて保持装置本体２０に対して立ち上がる。第１のリンク６１が立ち上がるため、第２のリンク６２が第１のリンク６１に引っ張られる。第２のリンク６２が第１のリンク６１に引っ張られるため、サポート５０が第２のリンク６２に引っ張られて上方に移動する。
（ｃ）蓋体３０が開状態にあるとき（図３の２点鎖線の状態）
蓋体３０は、蓋体３０の一部が保持装置本体２０に当接することにより、開状態に維持される。アーム構造体７０は、蓋体３０に対して下方に倒れ込んだ状態にあり、蓋体３０から水平またはほぼ水平方向に延びている。第１のリンク６１は、保持装置本体２０に対して立ち上がっている。サポート５０は、突出位置５０ａに位置する。
【００１８】
つぎに、本発明実施例の作用を説明する。
本発明実施例では、蓋体３０が閉状態から開状態に移動するときにサポート５０を収納位置５０ｂから突出位置５０ａに移動させるリンク機構６０を有するので、蓋体３０を開方向に付勢する付勢部材４０の付勢力でサポート５０を収納位置５０ｂから突出位置５０ａに移動させることができる。そのため、従来と異なりサポートを付勢するサポート付勢バネは不要である。したがって、蓋体３０には開動の全領域で付勢部材４０の付勢力のみがかかり、開き始めから開き終わりまでの蓋体３０の動きが従来に比べてスムーズになる。
また、サポートを付勢するサポート付勢バネが不要であるため、サポート付勢バネを要する場合に比べて、部品点数を削減でき、組付工数を削減できる。
【図面の簡単な説明】
【００１９】
【図１】本発明実施例の車両用物品保持装置の分解斜視図である。
【図２】本発明実施例の車両用物品保持装置の、蓋体が開状態にあるときの斜視図である。
【図３】本発明実施例の車両用物品保持装置の、蓋体が閉状態にあるとき（実線）と、蓋体が開状態にあるとき（２点鎖線）の、断面図である。
【符号の説明】
【００２０】
１０  車両用物品保持装置
２０  保持装置本体
２１  収納部
２２  サポート支持部
３０  蓋体
４０  付勢部材
５０  サポート
５０ａ  突出位置
５０ｂ  収納位置
６０  リンク機構
６１  第１のリンク
６２  第２のリンク
７０  アーム構造体
７１  アッパ部材
７２  ロア部材
７３  アーム
７４  アーム付勢スプリング
８０  ロック機構
８１  ロック
８２  ロックホルダ
８３  ノブ
８４  ロックスプリング
９０  伝達部材
【図１】
2008037292.tif 000003
【図２】
2008037292.tif 000004
【図３】
2008037292.tif 000005